(57)【要約】【課題】操縦員により手書きされた入力情報を、事象ログに対応付けて航空機の記憶装置に記憶する手書き情報入力支援装置を提供する。【解決手段】記憶装置８、センサ類、及びこのセンサ類からのセンサ情報を用いて飛行中に収集された事象についての事象ログを生成してこれをこの記憶装置８に記憶する計算機６を搭載した航空機の操縦員の身体に装着される装置本体２と、この装置本体２に設けられて、筆記面を有するペン入力デバイス３と、装置本体２に設けられて、このペン入力デバイス３の筆記面にこの操縦員が手書き入力した入力情報から筆記情報を生成し、この筆記情報を計算機６に対して出力するインターフェース部４と、を備え、このインターフェース部４が出力する筆記情報は、この筆記情報が計算機６へ出力されると同時に、この計算機６によって記憶装置８へ記憶される。【選択図】図１
2010015250.tif 000002
【特許請求の範囲】
【請求項１】
記憶装置、センサ類、及びこのセンサ類からのセンサ情報を用いて飛行中に収集された事象についての事象ログを生成してこれをこの記憶装置に記憶する計算機を搭載した航空機の操縦員の身体に装着される装置本体と、
この装置本体に設けられて、筆記面を有するペン入力デバイスと、
前記装置本体に設けられて、このペン入力デバイスの前記筆記面にこの操縦員が手書き入力した入力情報から筆記情報を生成し、この筆記情報をこの計算機に対して出力するインターフェース部と、を備え、
このインターフェース部が出力する前記筆記情報は、この筆記情報が前記計算機へ出力されると同時に、この計算機によって前記記憶装置へ記憶されることを特徴とする手書き情報入力支援装置。
【請求項２】
前記装置本体には前記入力情報が手書き入力されたことの完了を通知するためのスイッチが設けられて、前記インターフェース部は、このスイッチの状態を検出する機能と、このスイッチが押下された場合、この手書き入力が完了したことを示す入力完了通知を前記計算機へ出力する機能とを有し、
前記計算機によってこの入力完了通知が受信されると、前記筆記情報は、システム時刻に対応付けられて前記記憶装置へ記憶されることを特徴とする請求項１記載の手書き情報入力支援装置。
【請求項３】
前記装置本体には前記入力情報が手書き入力されたことの完了を通知するためのスイッチが設けられて、前記インターフェース部は、このスイッチの状態を検出する機能と、このスイッチが押下された場合、この手書き入力が完了したことを示す入力完了通知を前記計算機へ出力する機能と、前記計算機から予め設定された特定の事象が発生したことの報知を受信する機能とを有し、
前記計算機によってこの入力完了通知が受信されると、前記筆記情報は、この特定の事象に対応付けられて前記記憶装置へ記憶されることを特徴とする請求項１記載の手書き情報入力支援装置。
【請求項４】
前記装置本体に取り付けられてロール紙を供給するロール紙供給部と、このロール紙を前記筆記面の上下いずれか一端側から他端側に向かってこの筆記面上で搬送させる搬送部と、搬送されたロール紙を巻き取るロール紙巻き取り部と、これらのロール紙供給部及びロール紙巻き取り部を駆動する駆動部と、この駆動部の駆動を制御する制御部と、を備え、
この制御部は、前記インターフェース部が前記筆記情報を前記計算機へ出力するタイミングに基づいて前記駆動を制御することを特徴とする請求項１記載の手書き情報入力支援装置。
【発明の詳細な説明】
【技術分野】
【０００１】
本発明は手書き情報入力支援装置に関する。
【背景技術】
【０００２】
警戒などの任務を行うための回転翼航空機にはミッションコンピュータシステムが搭載されている。ミッションコンピュータは、機体に取り付けられたセンサ類からのセンサ情報を用いてミッションログを生成し、このミッションログを機体に設けられた記録装置に記録する。ミッションコンピュータは、機体センサからの検出データに基づいて自機の飛行諸元を算出してミッションログに記憶する。飛行諸元とは、自機の位置や姿勢、速度、加速度、高度などである。ミッションログには、レーダセンサから放射されたレーダ波の諸元や、目標物が検出された場合のこの目標物の飛行諸元及び操縦員が行った操作内容なども記憶される。操作内容とはポインティングデバイスや装置機器類へ入力した指令や情報を指す。ミッションコンピュータは、飛行中に発生した全ての事象についてこれらの飛行諸元などのデータをミッションログに残す。
【０００３】
ミッションコンピュータシステム、又は地上施設に設けられた読み出し専用の解析装置は、後刻、このミッションログを用いて飛行中に発生した全ての事象について事後解析を行う。操縦員はこのミッションログを参照しながら飛行作業を実施した結果を報告書としてまとめる。
【０００４】
任務飛行中、操縦員は、事象について気が付いたことをアノテーションとして、脚に取り付けたボード上の紙に鉛筆等により筆記する。アノテーションとは操縦員が気づいた注釈やコメントであり、手書きの文字、記号や線図などを指す。操縦員がミッションコンピュータシステムから目標物が発見されたことを通知された場合、操縦員はこの目標物の外観の特徴をアノテーションとしてメモ書きする。このアノテーションは、システム系が直接データとして記録することのできない情報であり、人間系によって紙の上の付帯情報として残されるものである。
【０００５】
また、発生した事象に応じて、必要な飛行諸元、操作内容あるいは変化した飛行諸元は異なる。どの事象についてどういった飛行諸元や操作内容が記録されるかについては、ミッションコンピュータに予め設定されてある。報告書の作成時、操縦員は、システムの解析機能又は解析装置から打ち出されたミッションログと自分が筆記したアノテーションとをすり合わせて状況を思い出しながら、これらのミッションログとアノテーションとを対応付けする作業を行う。
【０００６】
通常、時刻経過に伴って筆記入力されるアノテーションと、回転翼航空機のシステム上に予め設定された特徴的な事象が発生した場合に筆記入力されるアノテーションとは、操縦員が脚に取り付けたボード上の紙に手書きして、これら場面の状況を保持し、後の判断等に用いられている。
【０００７】
システムが終了した後、事後解析として時刻経過、飛行中に発生した事象、及びアノテーションについてそれぞれ操縦員が、整理、把握、分析等を実施し、得られた情報を関係者に報告する。報告書を作成するための時間が無制限にある状況下では、飛行終了から報告書作成へ至る作業にそれほど問題はない。
【０００８】
従来、任意のコメントを音声または画像として入力するコメント入力手段を備えたコメント入力機能付測定装置が知られている（特許文献１参照）。この特許文献１に記載の測定装置は、血糖値を測定する測定手段を有し、血液の濃度値を測定データとして表示し、日時情報と測定データとを関連付けて記憶部に記憶する。この測定装置は、コメントの入力の要否を問うメッセージを表示し、患者はコメントを音声により入力可能とされている。また、手書き入力に使うボードに関しては、パイロット又は機上操作員などが膝上に取り付けて航空機の各種データを電子的に記録し、あるいは出力することを可能とする飛行業務用電子式ニーボードが知られている（特許文献２参照）。携帯情報端末装置を操作者の大腿部に固定する携帯情報端末装置固定方法も知られている（特許文献３参照）。
【特許文献１】特開２００５−１６９１２８号公報
【特許文献２】特開平７−３０６８３２号公報
【特許文献３】特開平１１−２８２５７０号公報
【発明の開示】
【発明が解決しようとする課題】
【０００９】
しかし、帰投後、速やかにこれらの整理等の作業を操縦員が実施して報告書を作成しなければならない状況下においては、操縦員が作成の作業にかけることのできる時間は限定される。さらに事後解析にあまりにも時間を要してしまう場合には情報が陳腐化してしまう。
【００１０】
従来、システム系の記録と人間系の記録とが分離されており、これらのシステム系及び人間系の各記録間に関連性は無いため、操縦員によって筆記されただけのアノテーションをシステム系にデータとして記録することができない。ミッションログは、諸元データの数値、人の機器への操作内容や状況を表す略号が事象毎にまとめられた状態で羅列されるというデータ形式を有する。ミッションログは、これを人が読むには十分なデータ形式を持っているとはいえない。
【００１１】
このため、操縦員が報告書を作成するにあたっては、アノテーションと、ミッションログとを人が逐一整合する必要がある。操縦員が複数のアノテーションを筆記した場合、操縦員は、各アノテーションに対応する事象を、数値や略号の列の中から探して見つけ出さなければならない。アノテーションとミッションログとを比較対照する作業には時間を要する。アノテーションを筆記した回数が多い場合や筆記された紙の枚数が多い場合、元のアノテーションを報告書に写し書きする過程で人の誤りが生じる可能性がある。
【００１２】
上述した従来技術では、事象が発生した時にこの事象についてのアノテーションを、事象発生時点におけるミッションログと対応付けてシステム系にデータとして保存することができない。
【００１３】
そこで、本発明は、上記の課題に鑑み、操縦員により手書きされた入力情報を、事象ログに対応付けて航空機の記憶装置に記憶することが可能な手書き情報入力支援装置を提供することを目的とする。
【課題を解決するための手段】
【００１４】
このような課題を解決するため、本発明の一態様によれば、記憶装置、センサ類、及びこのセンサ類からのセンサ情報を用いて飛行中に収集された事象についての事象ログを生成してこれをこの記憶装置に記憶する計算機を搭載した航空機の操縦員の身体に装着される装置本体と、この装置本体に設けられて、筆記面を有するペン入力デバイスと、前記装置本体に設けられて、このペン入力デバイスの前記筆記面にこの操縦員が手書き入力した入力情報から筆記情報を生成し、この筆記情報をこの計算機に対して出力するインターフェース部と、を備え、このインターフェース部が出力する前記筆記情報は、この筆記情報が前記計算機へ出力されると同時に、この計算機によって前記記憶装置へ記憶されることを特徴とする手書き情報入力支援装置が提供される。
【発明の効果】
【００１５】
本発明によれば、操縦員により手書きされた入力情報を、航空機の記憶装置に記憶された事象ログに対応付けて記憶することができるようになる。
【発明を実施するための最良の形態】
【００１６】
以下、本発明の実施の形態に係る手書き情報入力支援装置について、図１乃至図３を参照しながら説明する。尚、各図において同一箇所については同一の符号を付すとともに、重複した説明は省略する。
【００１７】
本実施形態に係る手書き情報入力支援装置は操縦員用のアノテーション入力支援装置である。このアノテーション入力支援装置はタッチ式のペン入力デバイスであるタッチパッドを有し、操縦員がこのタッチパッドに紙を留めた状態で紙に筆記したアノテーションをデータ化して筆記情報データを生成し、この筆記情報データを回転翼航空機のシステムに送出するものである。
【００１８】
操縦員は、操縦室においてアノテーション入力支援装置を脚に装着した状態で飛行作業を行っており、紙を介してアノテーションを手書き入力するようにしている。アノテーション入力支援装置は信号ケーブルによって回転翼航空機のミッションコンピュータシステムに接続されており、これらのアノテーション入力支援装置とこのミッションコンピュータシステムとが機内でオンライン化されている。
【００１９】
回転翼航空機は、ミッションログ（事象ログ）が記録される記録装置と、機体に取り付けられたセンサ類と、ミッションコンピュータ（計算機）とを設けている。センサ類には、自機の緯度及び経度を示す位置、姿勢、速度、加速度や高度といった自機の飛行諸元を算出するためのデータを検出する計器や装置と、レーダ波を放射し、目標物にて反射されたレーダ波を受信検波するレーダセンサとが含まれる。ミッションコンピュータは主に信号処理装置によって構成されており、センサ類からのセンサ情報を用いて、自機の飛行諸元、目標物の位置、姿勢、速度、加速度や高度といった目標物の飛行諸元、及びレーダ波の諸元、及び操縦員が行った操作内容などの履歴を記録装置に記録するようにしている。
【００２０】
図１はアノテーション入力支援装置を含む機体搭載システムの構成例を示す図である。図２はこのアノテーション入力支援装置の外観を示す斜視図である。アノテーション入力支援装置１は、長方形の平面形状を有するボード状の装置本体２と、この装置本体２に配設されて、タッチパッド３、図示しないインターフェース回路及びスイッチを有する手書き入力部４と、このインターフェース回路に接続された信号ケーブル５とを備えている。このアノテーション入力支援装置１は、この信号ケーブル５を介して情報記録部６との間でデータを授受可能にされている。
【００２１】
この情報記録部６はミッションコンピュータの一部であり、信号処理装置７及び記録装置８から構成されている。情報記録部６はアノテーション入力支援装置１に筆記入力された入力情報である筆記情報を、この筆記情報が操縦員の手書きしたときに演算されたミッションログと対応づけて記録装置８に記録するようにしている。
【００２２】
信号処理装置７は、事象毎に必要なセンサ情報を用いて信号処理演算を行ってミッションログを算出する。信号処理装置７には図示しないシステム側インターフェース回路が接続されている。このシステム側インターフェース回路は、手書き入力部４に対し、この手書き入力部４から入力されるアノテーションを信号処理装置７が受け付けられる状態であることを表す制御情報を通知するものである。信号処理装置７は、このシステム側インターフェース回路及び信号ケーブル５を介して手書き入力部４との間でデータを授受可能にされている。
【００２３】
信号処理装置７にはＤＳＰやマイクロプロセッサ、ＲＯＭ及びＲＡＭが用いられる。記録装置８は機体に設けられた外部記録装置や磁気ディスク装置などの記録媒体である。記録装置８は具体的にはカード型の記録媒体あるいは記憶媒体である。
【００２４】
装置本体２は、図示しないベルトによって、服の上から操縦員の膝頭に取り付けられている。この装置本体２の端部にはクリップ９が設けられており、このクリップ９によって紙１０の端部が手書き入力部４の上面において留められるようになっている。装置本体２の本体上面には矩形の開口部が形成されており、この開口部を介してタッチパッド３が視認可能にされている。
【００２５】
このタッチパッド３は検出面を有し、この検出面にはシート状の保護部材１１が装着されている。鉛筆やペンなどの筆記具を用いて紙１０に筆記されると、タッチパッド３は、保護部材１１を介して検出面に加えられた押圧力を検知し、この筆記具と紙１０との接触部位に対応する座標値を検出して、１点又は複数点の座標の座標データを出力するようにしている。タッチパッド３の出力側にはメモリバッファや図示しないインターフェース回路が設けられている。
【００２６】
このインターフェース回路は、手書き入力部４に設けられたスイッチが押下された場合、手書き入力が完了したことの通知を情報記録部６へ出力する通知処理と、情報記録部６との間で制御信号を送受信するインターフェース処理と、タッチパッド３からの座標データを筆記情報に変換しこれをメモリバッファに記憶しこれを情報記録部６へ出力する処理とを行う。インターフェース回路は、スイッチの押下を検知可能にされており、アノテーションの入力操作が完了した旨を示す制御メッセージ信号を、操縦員側から情報記録部６側へ通知するようにしている。また、このスイッチが押下されると、インターフェース回路は、メモリバッファの筆記情報も情報記録部６へ出力するようにしている。このインターフェース回路にはＣＰＵ、ＲＯＭやＲＡＭが用いられる。
【００２７】
情報記録部６は、インターフェース回路からの入力完了通知を受けると、アノテーション情報と発生事象とを対応付けて記録装置８へ記憶するようにしている。あるいは、情報記録部６は、インターフェース回路からの入力完了通知を受けると、アノテーション情報をシステムの時刻情報とを対応付けて記録装置８へ記憶するようにしている。
【００２８】
アノテーション入力支援装置１では、筆記具によって加えられる筆圧、および筆記具の紙１０への接触部分の筆跡が検知され、筆記面へ入力される筆記情報は筆記情報として感知されてこの筆記情報が情報記録部６に記録される。手書き入力部４の筆記面に紙１０が固定可能である。筆記面はタッチパッド３などで実現されており、紙１０を固定する部分はこの筆記面に対して紙１０を押さえつけるクリップ形状の板または棒で実現されている。
【００２９】
また、システムには事後解析機能が実装されており、あるいは地上の施設には、ミッションログ読み出し専用の解析装置が設けられている。システム又は解析装置は、この記録装置８から、レーダ諸元の履歴や運動諸元の履歴であるミッションログを読み取り、このミッションログを人が読める形式の情報データに変換し、変換したデータをプリント出力するようにされている。
【００３０】
次にこの実施形態に係るアノテーション入力支援装置１の動作を図３に示すフローチャートを用いて説明する。図３はアノテーション入力支援装置１が行うアノテーション入力から記録装置６へのアノテーションの記録までのシーケンスを示すフローチャートである。このアノテーション入力支援装置１への指示及びアノテーションの入力は筆記具により実施される。
【００３１】
操縦員は手書き入力部４に紙１０を固定し（ステップＳ１）、図示しないボタンなどを用いてアノテーション入力支援装置１を起動して、アノテーション入力支援装置１の状態を、入力データ検知可能な状態にする。この状態で任意の時刻あるいは事象が発生した時に操縦員は紙１０にアノテーションを手書きする。文字列、記号や手書き図といったアノテーションが紙１０に筆記されて、この紙１０に筆記された文字列、記号あるいは手書き図と同じ入力情報がアノテーション入力支援装置１に取込まれる。
【００３２】
手書き入力部４がアノテーションの入力を検知すると（ステップＳ２）、筆記情報を情報記録部６に転送する。一例として、操縦員がアノテーションを書き終わった後、アノテーション入力完了スイッチを押下してアノテーション入力完了をアノテーション入力装置１へ指示すると、手書き入力部４はこの押下を検知して、アノテーション入力完了メッセージを情報記録部６へ通知する（ステップＳ３）。情報記録部６は、このメッセージを受けると、筆記情報を読込むことによって、入力されたアノテーションを画像として保持する（ステップＳ４）。これにより、記録装置８にはアノテーションがミッションログとともに記録される。
【００３３】
一例として、目標物の発見という事象が発生した場合、情報記録部６は、レーダ波の諸元、目標物の位置や速度を記録する。発見された後、目標物の位置や速度は時々刻々とミッションログの一つとして記録装置８に記録され続ける。目標物の機影が捉えられると、操縦員は、時々刻々と変わるレーダ情報について気づいたことをアノテーション入力支援装置１に入力する。このアノテーションは操縦員が筆記入力すると即座にミッションログに関連付けられて記録される。
【００３４】
目標物が消失したという事象が得られた場合、情報記録部６は、以後、ミッションログへの目標物の位置や速度の記録を行わない。この機影が消失した場合、操縦員は追跡を中止した旨をアノテーション入力支援装置１に筆記する。システムに筆記情報が記録されると同時に、中止の旨や目標物について気づいた点をアノテーション入力し、このアノテーションはミッションログに関連付けされて記録される。
【００３５】
警戒海域の通過を許可されていない船舶が航行していることが、ミッションコンピュータにより検知されると、操縦員は、船舶の外形、舶体の汚れ、又は乗船している人数などをアノテーション入力支援装置１に手書き入力する。この手書き入力と同時に外形や汚れ、人数などのアノテーションがミッションログに関連付けられて記録される。
【００３６】
このようにして、機影が捉えられたこと、機影が消失したこと、又は目標物が視認されたことなどの事象が発生した場合、操縦員はこれらの事象についてのアノテーションを、アノテーション入力支援装置１にクリップされた紙に鉛筆等で書くとともに、このアノテーションは即座にシステムにデータとして記録されるようになる。
【００３７】
従って、アノテーション入力支援装置１により、紙への筆記の操作と同時にこの筆記によって手書き入力されたアノテーションがシステム情報として記録されるようになる。事象の発生時にこの事象について人間系により入力されたアノテーションが、システム系にも保存されるようになり、この保存が事象の発生と同時に行えるようになる。
【００３８】
回転翼航空機が基地に戻った後、ミッションコンピュータシステム又は解析装置はミッションログの事後解析を行う。このシステム又は装置は、ミッションログを人間が見える形式の情報データに変換して出力する。この情報データを参照することによって、操縦員は報告書の作成を行う。
【００３９】
人間系によってその場その場で紙に書いて取得された情報が、紙への筆記と同時にシステム系に取込めることができるようになり、システム系により入力された情報と、人間系により入力された情報とが関連付けされる。これにより、報告書作成時に、ミッションログと、メモとを見比べてまとめるという作業が不要となる。人が複数の事象についてのアノテーションを、ミッションログと付き合わせて整合をとる作業をする必要がなくなる。各事象と、これらの事象についてのアノテーションとが正確に対応付けされて保存できるようになる。
【００４０】
また、ミッションログがプリント出力されることによって、飛行中に発生した全ての事象と、これらの事象についてのアノテーションとを直に参照できる。例えば複数の船舶が発見された場合、これらの船舶毎についてそれぞれ船舶の特徴や発見時の状況などのアノテーションを帰投後直ちに取得することができる。
【００４１】
また、操縦員が、筆記入力されたアノテーションを、ミッションログと比較対照する作業が不要となるため、比較対照作業に要する時間が省かれて業務の効率化も図れる。アノテーションを写し間違えるといったヒューマンエラーがなくなるため、任務終了後における報告書の内容の正確性を期することができる。操縦員は、帰投後、速やかにこれらの整理等の作業を行えて迅速に報告書を作成することができるようになる。情報の陳腐化も防止される。
【００４２】
また、保護部材１１が設けられているため、先端部が尖っている筆記具を用いて操縦員が筆記入力した場合でも、筆記面の表面が傷つけられない。特に、機体が揺れて大きな慣性力がこの機体に加わる場合、大きな筆圧がタッチパッド３の表面にかかることもあり得るが、この保護部材１１が設けられているため、筆記面を傷つけることが防止される。保護部材１１の代わりに筆記面自体が保護されたタッチパッド３を用いてもよい。
【００４３】
また、アノテーション入力支援装置１によれば、操縦員席という狭い空間においてもアノテーションをシステムへ登録することが可能となる。アノテーション入力支援装置１という入力装置によって、紙１０に筆記された情報を筆記と同時にシステム系に記録することができる。アノテーション入力支援装置１は小型形状を有するため、操縦室内での計器類などの操作を煩わせることなく操縦員のアノテーション入力を可能にすることができる。
【００４４】
また、手首を装置本体２に対して位置決めするため、装置本体２には手首を載せるための窪み部が形成されてもよい。このようにすれば、筆記中の手首から先の部位の姿勢が正しく保たれる。
【００４５】
（変形例）
上記の実施形態では、操縦員は、１枚の紙に筆記していたが、本発明の実施の形態に係るアノテーション入力支援装置は、ロール紙を装着した状態で使用するようにもできる。
【００４６】
本発明の実施形態の変形例に係るアノテーション入力支援装置は、情報記録部６と手書き入力部４とを備えている。更にこのアノテーション入力支援装置は、装置本体２に取り付けられてロール紙を供給する図示しないロール紙供給部と、このロール紙をタッチパッド３の筆記面の上下いずれか一端側から他端側に向かって筆記面上で搬送させる図示しない搬送部と、搬送されたロール紙を巻き取る図示しないロール紙巻き取り部と、これらのロール紙供給部及びロール紙巻き取り部を駆動する図示しない駆動部と、この駆動部の駆動を制御する図示しない制御部とを備えている。この制御部は、インターフェース部が筆記情報をミッションコンピュータへ出力するタイミングに基づいて駆動を制御するようにしている。制御部にはマイクロプロセッサやＲＯＭ、ＲＡＭが用いられる。
【００４７】
このような構成によって、操縦員が紙１０に筆記した後、リセットスイッチを押下すると、制御部は、情報記録部６に対して筆記情報を出力するとともに、駆動部に対してリセット信号を通知する。駆動部がロール紙供給部及びロール紙巻き取り部を駆動すると、タッチパッド３の筆記面の上下長さよりも長い距離を搬送されて、ロール紙は紙送りされる。これにより、再度、筆記面に白地の紙面が現れた状態にセットされる。
【００４８】
この変形例に係るアノテーション入力支援装置によれば、メモ用紙を取り替える手間が不要となり、用紙を取り替える作業によって生じうる筆記入力の機会の喪失の可能性が排除されるようになる。
【００４９】
尚、本発明は上記実施形態そのままに限定されるものではなく、実施段階ではその要旨を逸脱しない範囲で構成要素を変形して具体化できる。上記の実施形態では、操縦員によるアノテーション入力について説明したが、アノテーション入力支援装置１にフライトハンドブックに記載された試験項目の情報などを登録することや、各種の計算機能等を装備することにより、機体内に持ち込む文書、機器を削減することができ、省スペース、軽量化につながる。
【００５０】
また、本発明の実施の形態に係る手書き情報入力支援装置は回転翼航空機などの航空機に限らず、狭い空間に椅子に座った状態の作業環境下(自動車、自動二輪等)で作業をしている人に装着されて使用されることも有効である。この場合、手書き情報入力支援装置とミッションコンピュータとの間を例えば無線により接続する。
【００５１】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】本発明の一実施形態に係る手書き情報入力支援装置を含む機体搭載システムの構成例を示す図である。
【図２】本発明の一実施形態に係る手書き情報入力支援装置の外観を示す斜視図である。
【図３】本発明の一実施形態に係る手書き情報入力支援装置が行うアノテーション入力から記録装置へのアノテーションの記録までのシーケンスを示すフローチャートである。
【符号の説明】
【００５３】
１…アノテーション入力支援装置（手書き情報入力支援装置）、２…装置本体、３…タッチパッド（ペン入力デバイス）、４…手書き入力部（インターフェース部）、５…信号ケーブル、６…情報記録部（計算機）、７…信号処理装置、８…記録装置（記憶装置）、９…クリップ、１０…紙、１１…保護部材。
【図１】
2010015250.tif 000003
【図２】
2010015250.tif 000004
【図３】
2010015250.tif 000005